(57)【要約】      （修正有）【課題】初心者にも簡単に装着でき、不特定多数の人が衛生的に見栄えの良い相撲用まわしを提供する。【解決手段】横褌１、横褌はずれ止め補強バンド２、横褌はずれ止め補強バンド通し金具、太ももバンド吊り６、太ももバンド５、で形成され、横褌は両端にマジックテープ（登録商標）を付け、横褌の上に横褌はずれ止め補強バンドと横褌はずれ止め補強バンド通し金具と横褌はずれ止め補強バンド通し金具隠しを付ける、横褌から太ももバンド吊りと太ももバンドを取り付け、太ももバンドの両端にマジックテープ（登録商標）と太ももバンド通し金具を付けて相撲用まわしを構成する。【選択図】図１
0003153308.tif 000002
【実用新案登録請求の範囲】
【請求項１】
立褌を無くした相撲用まわしにおいて、
（１）相撲用まわしの横褌・横褌はずれ止め補強バンド・横褌はずれ止め補強バンド通し金具・太ももバンド吊り・太ももバンド・太ももバンド通し金具で形成し、
（２）横褌は両端にマジックテープ（登録商標）を付け、
（３）横褌の上に横褌はずれ止め補強バンドと横褌はずれ止め補強バンド通し金具と横褌はずれ止め補強バンド通し金具隠しを付け、
（４）横褌から太ももバンド吊りと太ももバンドを取り付け、
（５）太ももバンドの両端にマジックテープ（登録商標）を付け、
（６）片側に太ももバンド通し金具を取付ける。
以上からなる太ももに横褌の上へのずれを止めるバンドをつける事によって、立褌を無くした相撲用まわし。
【考案の詳細な説明】
【考案の詳細な説明】
【産業上の利用分野】
【０００１】この考案は、相撲用まわしに関するものである。
【背景技術】
【０００２】従来、一枚の帯状の布を腰に巻き、その帯で横褌、立褌を形成して相撲用まわしとしていた。
【考案が解決しようとする課題】
【０００３】従来は次のような欠点があった。
（イ）初心者には一枚の帯状の布を相撲用のまわしとして巻くのは難しい。
（ロ）他人が使用した相撲用まわしを使用するのに衛生的に抵抗がある。
（ハ）立褌が股間を通り見栄えに抵抗がある人がいる。
【問題を解決するための手段】
【０００４】本考案は、マジックテープ（登録商標）と横褌はずれ止め補強バンド通し金具を使って装着するため初心者にも簡単に装着でき、衣服の上から装着するので不特定多数の人が衛生的に使用でき、立褌がなく見栄えも良い形状なので抵抗なく使用できる相撲用まわしを提供するためのものである。
それを説明すれば、横褌・横褌はずれ止め補強バンド・横褌はずれ止め補強バンド通し金具・太ももバンド吊り・太ももバンドで形成され、横褌は両端にマジックテープ（登録商標）を付け、横褌の上に横褌はずれ止め補強バンドと横褌はずれ止め補強バンド通し金具と横褌はずれ止め補強バンド通し金具隠しを付ける、横褌から太ももバンド吊りと太ももバンドを取り付け、太ももバンドの両端にマジックテープ（登録商標）と太ももバンド通し金具を付けた形状の相撲用まわしである。
【作用】
【０００５】以上の構成であるため、装着がマジックテープ（登録商標）で簡単に出来、相撲をして横褌を持ち上げた時に加わる横褌の上への移動は太ももバンドで阻止されて立褌の代わりとなる為、立褌無しの相撲用まわしを提供する事が出来る。
【実用例】
【０００６】以下、本考案の実用例について説明する。
（イ）横褌を腰に廻してマジックテープ（登録商標）で止める。
（ロ）横褌はずれ止め補強バンドの端を横褌はずれ止め補強バンド通し金具に通し折り返し、締め付けてマジックテープ（登録商標）で止める。
（ハ）横褌はずれ止め補強バンド通し金具隠しで金具を隠しマジックテープ（登録商標）で止める。
（ニ）太ももバンドを両方の太ももに巻きつけて太ももバンド通し金具を通して締め付けてマジックテープ（登録商標）で止める。
【考案の効果】
【０００７】本案は以上のような機能で、これを利用することによって以下のような効果が得られる。
（イ）初心者でも簡単に相撲のまわしが装着できる。
（ロ）衣服の上から装着出来るので不特定多数の人が同じまわしを衛生的に使用できる。
（ハ）股間を通る立褌がないため見栄えに抵抗感が無くなる。
【図面の簡単な説明】図面１は正面からの立体図。
図面２は横からの立体図。
図面３は展開図
図面４は横褌締付部分詳細図
図面５は太もも締付部分詳細図
図面６は装着図
【符号の説明】１．横褌
２．横褌はずれ止め補強バンド
３．横褌はずれ止め補強バンド通し金具
４．横褌はずれ止め補強バンド通し金具隠し
５．太ももバンド
６．太ももバンド吊り
７．マジックテープ（登録商標）
８．太ももバンド通し金具
【図１】
0003153308.tif 000003
【図２】
0003153308.tif 000004
【図３】
0003153308.tif 000005
【図４】
0003153308.tif 000006
【図５】
0003153308.tif 000007
【図６】
0003153308.tif 000008
【手続補正書】
【提出日】平成21年7月7日(2009.7.7)
【手続補正１】
【補正対象書類名】明細書
【補正対象項目名】全文
【補正方法】変更
【補正の内容】
【考案の詳細な説明】
【実用新案登録請求の範囲】
【請求項１】
立褌を無くした相撲用まわしにおいて、
（１）相撲用まわしの横褌・横褌はずれ止め補強バンド・横褌はずれ止め補強バンド通し金具・太ももバンド吊り・太ももバンド・太ももバンド通し金具で形成し、
（２）横褌は両端にマジックテープ（登録商標）を付け、
（３）横褌の上に横褌はずれ止め補強バンドと横褌はずれ止め補強バンド通し金具と横褌はずれ止め補強バンド通し金具隠しを付け、
（４）横褌から太ももバンド吊りと太ももバンドを取り付け、
（５）太ももバンドの両端にマジックテープ（登録商標）を付け、
（６）片側に太ももバンド通し金具を取付ける。
以上からなる太ももに横褌の上へのずれを止めるバンドをつける事によって、立褌を無くした相撲用まわし。
【考案の詳細な説明】
【産業上の利用分野】
【０００１】この考案は、相撲用まわしに関するものである。
【背景技術】
【０００２】従来、一枚の帯状の布を腰に巻き、その帯で横褌、立褌を形成して相撲用まわしとしていた。
【考案が解決しようとする課題】
【０００３】従来は次のような欠点があった。
（イ）初心者には一枚の帯状の布を相撲用のまわしとして巻くのは難しい。
（ロ）他人が使用した相撲用まわしを使用するのに衛生的に抵抗がある。
（ハ）立褌が股間を通り見栄えに抵抗がある人がいる。
【問題を解決するための手段】
【０００４】本考案は、マジックテープ（登録商標）と横褌はずれ止め補強バンド通し金具を使って装着するため初心者にも簡単に装着でき、衣服の上から装着するので不特定多数の人が衛生的に使用でき、立褌がなく見栄えも良い形状なので抵抗なく使用できる相撲用まわしを提供するためのものである。
それを説明すれば、横褌・横褌はずれ止め補強バンド・横褌はずれ止め補強バンド通し金具・太ももバンド吊り・太ももバンドで形成され、横褌は両端にマジックテープ（登録商標）を付け、横褌の上に横褌はずれ止め補強バンドと横褌はずれ止め補強バンド通し金具と横褌はずれ止め補強バンド通し金具隠しを付ける、横褌から太ももバンド吊りと太ももバンドを取り付け、太ももバンドの両端にマジックテープ（登録商標）と太ももバンド通し金具を付けた形状の相撲用まわしである。
【作用】
【０００５】以上の構成であるため、装着がマジックテープ（登録商標）で簡単に出来、相撲をして横褌を持ち上げた時に加わる横褌の上への移動は太ももバンドで阻止されて立褌の代わりとなる為、立褌無しの相撲用まわしを提供する事が出来る。
【実用例】
【０００６】以下、本考案の実用例について説明する。
（イ）横褌を腰に廻してマジックテープ（登録商標）で止める。
（ロ）横褌はずれ止め補強バンドの端を横褌はずれ止め補強バンド通し金具に通し折り返し、締め付けてマジックテープ（登録商標）で止める。
（ハ）横褌はずれ止め補強バンド通し金具隠しで金具を隠しマジックテープ（登録商標）で止める。
（ニ）太ももバンドを両方の太ももに巻きつけて太ももバンド通し金具を通して締め付けてマジックテープ（登録商標）で止める。
【考案の効果】
【０００７】本案は以上のような機能で、これを利用することによって以下のような効果が得られる。
（イ）初心者でも簡単に相撲のまわしが装着できる。
（ロ）衣服の上から装着出来るので不特定多数の人が同じまわしを衛生的に使用できる。
（ハ）股間を通る立褌がないため見栄えに抵抗感が無くなる。
【図面の簡単な説明】
【０００８】
【図１】正面からの立体図。
【図２】横からの立体図。
【図３】展開図
【図４】横褌締付部分詳細図
【図５】太もも締付部分詳細図
【図６】装着図
【符号の説明】
【０００９】１．横褌
２．横褌はずれ止め補強バンド
３．横褌はずれ止め補強バンド通し金具
４．横褌はずれ止め補強バンド通し金具隠し
５．太ももバンド
６．太ももバンド吊り
７．マジックテープ（登録商標）
８．太ももバンド通し金具